(57)【要約】      （修正有）【課題】電気等の動力が無くても、スーツケースの重量が規定以上あるかどうかの確認がとれる携帯型重量測定器を提供する。【解決手段】重量を感知するバネを被測定物を支える上箱と、被測定物ごと持ち上げる下箱の中に入れ小型化を行った。鉛直方向の荷重を横方向への伸びに変換するバネ４と、バネの上部にあり被測定物の荷重を受ける上面と、上面の対面に当たる底面が開いた箱型形状の本体１と、バネの下部にあり被測定物と本体ごと持ち上げ時の鉛直方向の荷重をバネに伝えるグリップ部３とバネの伸びにより測定者に視覚的または聴覚的に重量を知らせる報知部５を組み込んだ、携帯型重量測定器。【選択図】図１
2013148479.tif 000002
【特許請求の範囲】
【請求項１】
本発明は、鉛直方向の荷重を横方向への伸びに変換するバネと、
バネの上部にあり被測定物の荷重を支える上面を持ち、底面が開いた箱型形状の本体と、
バネの下部にあり被測定物を載せた本体ごと持ち上げるためのグリップ部と
バネの伸びにより測定者に重量を知らせる報知部を組み込み、
測定物と掌の間に入れて持ち上げることにより重量を測定できる携帯型重量測定器。
【請求項２】
長手方向断面に1か所または複数の、波型またはV字型部分を持つバネを用いた請求項１記載の携帯型重量測定器。
【請求項３】
バネの伸縮により標識物を押し出し、その押し出し位置により重量を測定できる構造をもつ請求項１、２記載の携帯型重量測定器。
【請求項４】
バネの伸縮により音若しくは振動により規定の重量を超えたことを報知する報知部を持つ請求項１、２記載の携帯型重量測定器。
【請求項５】
全体の高さを０．５ｃｍから３ｃｍとし本体の長手方向の幅を５ｃｍから１５ｃｍとした請求項１から４記載の携帯型重量測定器。
【請求項６】
上部本体の水平断面積より下部グリップ部の水平断面積が大きい請求項１から５記載の携帯型重量測定器。
【発明の詳細な説明】
【技術分野】
【０００１】
本発明は、カバン等の重量を確認する為の携帯型重量測定器である。
【背景技術】
【０００２】
近年、円高や低料金航空路線の発達、格安ツアーの競争激化のため海外旅行は老若男女問わずとても盛んになってきている。海外旅行となると滞在期間も長くなり持参していく荷物も多く、更には旅行の楽しみとして現地での買い物、土産の購入等予想以上に荷物が増えることが多々ある。
【０００３】
しかし、航空機に搭乗する際の荷物の重量は制限されている場合が多く、その航空会社に定められた許容重量を超えた場合、追加料金を徴収されてしまう。不慣れな旅先で荷物の重量を確認することは困難を供なう場合が多い。
【０００４】
この解決策として、フック式簡易重量測定器（例えば実登３１３６５２５）や、取っ手部分に重量表示機能を有したスーツケース（例えば、特開２００２−２５３３１９号）や、ベルト部分に重量表示機能を有したバッグ（例えば、特開２００９−５０９１３５号）などが知られている。
【先行技術文献】
【特許文献】
【０００５】
【特許文献１】実登３１３６５２５号公報
【特許文献２】特開２００２−２５３３１９号公報
【特許文献３】特開２００９−５０９１３５号公報
【発明の概要】
【発明が解決しようとする課題】
【０００６】
解決しようとする問題点としては、従来の重量測定器では測定に電気が必要であるが、旅行先では思うように電源を確保できなかったり、電池式の場合いざ使うときには電池の残量がなかったりするため電気のない状態でも測定出来ることが必要である。また、フックに取っ手部分をひっかけて測定する場合、計量器自体の大きさに加えバネで伸びる分も考慮して引き上げる必要があるため背の低い人や、腕力の弱い人は測定が困難であり実用的ではない。さらに従来のフック式測定器ではフックの部分と持ち手の部分が離れているので、装置自体が嵩張り、重量も増えるため出来るだけ荷物を少なく・軽くしたい旅行者にとっては致命的である。また取っ手に重量計を組み込むタイプでは構造が複雑となるため既存のスーツケースの重量は測ることができない。本発明は、これらの問題点を解決する為になされたものである。
【課題を解決するための手段】
【０００７】
上記課題を解決するため、被測定物を支える上箱と、被測定物ごと持ち上げる下箱の中に重量を感知するバネを入れ小型化を行った。より具体的には鉛直方向の荷重を横方向への伸びに変換するバネと、バネの上部にあり被測定物の荷重を受ける上面と、上面の対面に当たる底面が開いた箱型形状の本体と、バネの下部にあり被測定物を本体ごと持ち上げるグリップ部と、バネの伸びにより測定者に視覚的または聴覚的に重量を知らせる報知部を組み込んだ、携帯型重量測定器。
【０００８】
請求項２の考案では、鉛直方向の荷重を横方向の伸びに変換する為、長手方向断面に一か所または、複数の、波型またはV字型部分の構造を有するバネを持つ。
【０００９】
請求項３の考案では、バネの伸縮により表示板を押し出し、重量を報知させる構造を持つ。
【００１０】
請求項４の考案では、バネの伸縮により音若しくは振動により規定の重量を超えたことを測定者に報知させる構造を持つ。
【００１１】
請求項５の考案では、全体の高さを０．５ｃｍから３ｃｍとし本体の長手方向の幅を５ｃｍから１５ｃｍとする。
【００１２】
請求項６の考案では、上部本体の水平断面積より下部グリップ部の水平断面積が大きい。
【発明の効果】
【００１３】
本発明を用いることにより電気等の動力が無くても、スーツケースの重量が規定以上あるかどうかの確認がとれる。金属製のバネを用いているため温度、湿度の変化を受けにくく、何度も測定が可能となる。取っ手と手の間に入れて測定が出来るよう小さく・軽いため嵩張らず、短いストロークで測定が出来る。金属部分が露出していないため作業中に手を挟んだりせず安全である。
【発明を実施するための形態】
【００１４】
本発明の実施形態について図面を参照して説明する。図１に、本発明に係る重量判定器の実施形態を示す。本体１の上部に被測定物を載せる測定部２を持つ。本体１の下部には可動式のグリップ部３がある。この部分を握り対象物を持ちあげるとグリップ部３が沈み、中にある金属バネ４がバネガイド８の間を伸びて報知部５を右へと押し出す（図２）。重量が大きいほどバネが撓み標識部５は右へ押し出される。ある一定以上バネが撓むとグリップ部３はストッパー７にあたりそれ以上バネが沈むのを防ぐ。
荷重を除くとバネ４は元の形状に戻るが、標識部５はバネ４が押し出した位置で留まる。標識部５の位置は本体上部にある確認窓６で確認できる。予め、測定重量とそれに対応する標識部５の位置とを表記することにより、測定者は標識部５の位置で重量を知ることが出来る（図３）。
【００１５】
バネ４の素材は錆びにくく、温度、湿度の影響を受けにくい金属がよい。一般的には鋼板が好ましい。  
【００１６】
その他の部分は重量やバネの歪に耐えれるゴム、プラスチック、金属等の素材を単体若しくは、組み合わせて用いる。一般的には強度のあるステンレス製が望ましい。
【００１７】
標識部にはバネの伸びによりスライドさせる表示や、バネの伸びによってストッパーを外し別のばねの伸縮により音や振動を起こさせたりするものも有効である。
【図面の簡単な説明】
【００１８】
【図１】図１は携帯型重量測定器の正面図である（図１）。
【図２】図２は携帯型重量測定器で負荷をかけている状態の正面図である（図        ２）。
【図３】図３は携帯型重量測定器で負荷を取り除いた状態の正面図である（図３）。
【図４】図４は携帯型重量測定器の上面図である（図４）。
【図５】図５は携帯型重量測定器の組立図である（図５）。
【符号の説明】
【００１９】
１  本体
２  測定部
３  グリップ部
４  バネ
５  標識部
６  確認窓
７  ストッパー
８  バネガイド
【図１】
2013148479.tif 000003
【図２】
2013148479.tif 000004
【図３】
2013148479.tif 000005
【図４】
2013148479.tif 000006
【図５】
2013148479.tif 000007